(57)【要約】  発電用コンバインドサイクル（ＣＣ）発電プラントを負荷管理用圧縮空気エネルギー貯蔵（ＣＡＥＳ）発電プラントに転換する装置および方法。前記ＣＣ発電プラントは、少なくとも１つの燃焼タービンと、関連付けられた燃焼タービンから排熱を受容する熱回収蒸気発生器（ＨＲＳＧ）と、前記ＨＲＳＧと関連付けられた蒸気タービンと、前記蒸気タービンと関連付けられた発電機とを含む。圧縮空気は空気貯蔵室が貯蔵する。前記空気貯蔵室には少なくとも１つのコンプレッサが圧縮空気を供給しており、それによってオフピーク時のエネルギーを前記空気貯蔵室に貯蔵される圧縮空気エネルギーに変換することが可能となる。前記貯蔵室からの圧縮空気はＨＲＳＧが受容し、前記ＨＲＳＧが前記空気貯蔵室から受容した圧縮空気に熱を加える。蒸気タービンは、前記ＨＲＳＧから加熱された圧縮空気を受容し、前記加熱された圧縮空気を膨張させて出力を生成する。
2012516963.tif 000002
【特許請求の範囲】
【請求項１】
少なくとも１つの燃焼タービンと、関連付けられた燃焼タービンから排熱を受容するように構成されて配置された熱回収蒸気発生器（ＨＲＳＧ）と、前記ＨＲＳＧと関連付けられた蒸気タービンと、前記蒸気タービンと関連付けられた発電機とを含むコンバインドサイクル発電プラントを、圧縮空気エネルギー貯蔵発電プラントに転換する方法であって、
圧縮空気を貯蔵するように構成されて配置された空気貯蔵室を設けるステップと、
前記空気貯蔵室に前記圧縮空気を供給するように構成および配置された少なくとも１つのコンプレッサを設けるステップと、
前記貯蔵室からの前記圧縮空気を前記ＨＲＳＧが受容できるようにするステップと、
前記ＨＲＳＧを利用して、前記空気貯蔵室から受容する前記圧縮空気に熱を加えるステップと、
前記蒸気タービンを利用して、前記ＨＲＳＧから加熱された圧縮空気を受容し、前記加熱された圧縮空気を膨張させて出力を生成するステップと、
を含むことを特徴とする、コンバインドサイクル発電プラントを圧縮空気エネルギー貯蔵発電プラントに転換する方法。
【請求項２】
前記蒸気タービンで膨張させた空気流の一部を抽出し、特定の条件下で前記燃焼タービン組立体内に噴射して出力を増大させるようにするステップをさらに含むことを特徴とする請求項１に記載の方法。
【請求項３】
前記ＨＲＳＧを利用するステップの前に、前記圧縮空気の予熱を促進するために前記ＨＲＳＧに伝熱構成要素を追加して前記ＨＲＳＧを改良することを含むことを特徴とする請求項１に記載の方法。
【請求項４】
前記ＨＲＳＧを利用するステップの前に、前記ＨＲＳＧを最適化されたレキュペレータに転換することにより前記ＨＲＳＧを改良することを含むことを特徴とする請求項１に記載の方法。
【請求項５】
前記蒸気タービンを利用するステップの前に、吸気口の圧縮空気の質量流量と温度のパラメータ、ならびに排気大気圧を基に、前記蒸気タービンを空気エキスパンダに転換することにより前記蒸気タービンを改良することを含むことを特徴とする請求項１に記載の方法。
【請求項６】
いくつかの燃焼タービンが設けられ、それぞれの燃焼タービンにはＨＲＳＧが関連付けられており、それぞれのＨＲＳＧを利用して前記空気貯蔵室から受容した前記圧縮空気を加熱することを含み、それぞれのＨＲＳＧが、加熱された圧縮空気を前記蒸気タービンに送るように構成されて配置されていることを特徴とする請求項１に記載の方法。
【請求項７】
前記ＨＲＳＧから前記加熱された圧縮空気を受容する追加のボトムサイクルエキスパンダを設けることをさらに含むことを特徴とする請求項１に記載の方法。
【請求項８】
圧縮空気エネルギー貯蔵発電プラントであって、
少なくとも１つの燃焼タービンと、
関連付けられた燃焼タービンから排熱を受容して圧縮空気に熱を加えるように構成されて配置された熱回収蒸気発生器（ＨＲＳＧ）と、
前記ＨＲＳＧと関連付けられた蒸気タービンと、
前記蒸気タービンと関連付けられた発電機と、
圧縮空気を貯蔵するように構成されて配置された空気貯蔵室と、
前記空気貯蔵室に圧縮空気を供給するように構成されて配置された少なくとも１つのコンプレッサと、
を有し、
前記ＨＲＳＧは、前記空気貯蔵室から圧縮空気を受容するように前記空気貯蔵室に関連付けられており、前記蒸気タービンは、前記ＨＲＳＧから加熱された圧縮空気を受容し、前記加熱された圧縮空気を膨張させて出力を生成するように構成されて配置されていることを特徴とする圧縮空気エネルギー貯蔵発電プラント。
【請求項９】
前記ＨＲＳＧは、前記圧縮空気の予熱を促進するために追加の構成要素を含むように改良されることを特徴とする請求項８に記載の発電プラント。
【請求項１０】
前記改良されたＨＲＳＧは、最適化されたレキュペレータを形成することを特徴とする請求項９に記載の発電プラント。
【請求項１１】
いくつかの燃焼タービンが設けられ、それぞれの燃焼タービンにはＨＲＳＧが関連付けられており、それぞれのＨＲＳＧは、前記空気貯蔵室から受容した圧縮空気に熱を加えることが可能であり、それぞれのＨＲＳＧは、加熱された圧縮空気を前記蒸気タービンに送るように構成されて配置されていることを特徴とする請求項８に記載の発電プラント。
【請求項１２】
前記蒸気タービンは、吸気口の圧縮空気の質量流量と温度のパラメータ、ならびに排気大気圧を基に、前記加熱された圧縮空気を膨張させることができるように改良されていることを特徴とする請求項８に記載の発電プラント。
【請求項１３】
前記蒸気タービンで膨張させた空気流の一部を抽出し、特定の条件下で前記燃焼タービン組立体内に噴射して出力を増大させるように構成されて配置された構造体をさらに有することを特徴とする請求項８に記載の発電プラント。
【請求項１４】
前記ＨＲＳＧから加熱された圧縮空気を受容する追加のボトミングサイクルエキスパンダをさらに有することを特徴とする請求項８に記載の発電プラント。
【請求項１５】
発電を行うために前記追加のボトミングサイクルエキスパンダと関連付けられた発電機をさらに有することを特徴とする請求項１４に記載の発電プラント。
【発明の詳細な説明】
【技術分野】
【０００１】
本出願は、２００８年１０月３日に出願された米国特許出願第１２／２８５，４０４号の一部継続出願である。前記米国特許出願第１２／２８５，４０４号は、２００８年３月２１日に出願され、現在は米国特許第７，４０６，８２８号となっている米国特許出願第１２／０７６，６８９号の継続出願である、２００８年７月１１日に出願された米国特許出願第１２／２１６，９１１号の一部継続出願である。前記米国特許出願第１２／０７６，６８９号は、２００７年１月２５日に出願され、現在は放棄されている米国特許出願第１１／６５７，６６１号の分割出願である。
【０００２】
分野
本実施形態は圧縮空気エネルギー貯蔵（ＣＡＥＳ）発電プラントに関し、より具体的には負荷管理用ＣＡＥＳ発電プラントへの発電用コンバインドサイクル（ＣＣ）発電プラントの転換に関する。
【背景技術】
【０００３】
背景
米国特許第７，３８９，６４４号および米国特許第７，４０６，８２８号には、主要な発電構成要素として燃焼タービンを含む発電部を有するＣＡＥＳプラントの概念が開示されている。これらの概念では、レキュペレータ（復熱装置）が燃焼タービンの排熱を回収して、貯蔵室から引き抜かれた貯蔵圧縮空気を予熱することで、この貯蔵圧縮空気が、発電機を駆動するボトミングサイクルエキスパンダを介して膨張され、このボトミングサイクルエキスパンダがボトミングサイクルの追加の出力を生成すると共に、それに伴って燃焼タービンの出力が増大した燃焼タービン組立体内に空気が噴射することで追加の出力が生成される。これらのＣＡＥＳプラントは、既存の燃焼タービンをベースにして構築できると考えられている。
【０００４】
これらの開示されたＣＡＥＳプラントの概念と、燃焼タービンの排熱を回収して、蒸気を発生させて、ボトミングサイクル発電蒸気タービンを介して膨張させる熱回収蒸気発生器（Ｈｅａｔ  Ｒｅｃｏｖｅｒｙ  Ｓｔｅａｍ  Ｇｅｎｅｒａｔｏｒ：ＨＲＳＧ）を有する燃焼タービンを含むＣＣ発電プラントとの間には、概念的に著しく類似する点がある。
【０００５】
風力や太陽エネルギーのように制御できない再生可能エネルギー資源を使用する場合には、再生可能エネルギーを必要としないオフピーク時にエネルギーを貯蔵して、必要とするピーク時にエネルギーを放出するＣＡＥＳプラントが必要とされている。
【０００６】
既存のＣＣ発電プラントをＣＡＥＳ発電プラントに転換して、負荷管理に必要なＣＡＥＳプラントのコストを大幅に削減すると共にその経済性を向上させることで、再生資源の経済性を向上させる負荷管理用ＣＡＥＳプラントとすることが必要とされている。
【発明の概要】
【０００７】
概要
本発明の目的は、前述の要求を満たすことである。一実施形態の原理によれば、本目的は、ＣＣ発電プラントをＣＡＥＳ発電プラントに転換する方法によって達成される。前記ＣＣ発電プラントは、少なくとも１つの燃焼タービンと、ＨＲＳＧ、すなわち関連付けられた燃焼タービンから排熱を受容し、蒸気を発生させて、ＨＲＳＧと関連付けられたボトミングサイクル発電蒸気タービンを介して膨張させるように構成されて配置されたＨＲＳＧと、前記蒸気タービンと関連付けられた発電機とを含む。本方法は、ＣＡＥＳプラントにおける転換に必要となる追加の外部構成要素を提供する。したがって、圧縮空気を貯蔵する空気貯蔵室が設けられている。前記空気貯蔵室に圧縮空気をオフピーク時に供給する少なくとも１つのモータ駆動コンプレッサが構成および配置されている。本方法によって、貯蔵室からの圧縮空気が対応するパラメータにしたがってＨＲＳＧにより受容できるようになる。前記ＨＲＳＧは、前記空気貯蔵室から受容した圧縮空気に熱を加える。蒸気タービンが、加熱された圧縮空気を前記ＨＲＳＧから受容して、加熱された圧縮空気を大気圧に膨張させて出力を生成する。前記蒸気タービンには発電機が関連付けられている。また、特定の条件下では、前記蒸気タービンで膨張させた空気流の一部を燃焼タービン組立体内に噴射して、前記燃焼タービンの出力増大により追加の出力を生成することもできる。前記ＨＲＳＧおよび前記蒸気タービンは、そのまま使用することができるが、圧縮空気の予熱を促進するために前記ＨＲＳＧに伝熱構成要素を追加して、前記蒸気タービンを空気エキスパンダに転換するように改良するのが好ましい。
【０００８】
ＣＣ発電プラントをＣＡＥＳ発電プラントに転換する実施形態の別の態様によれば、ＣＡＥＳ発電プラントは少なくとも１つの燃焼タービンを含む。ＨＲＳＧは、関連付けられた燃焼タービンから排熱を受容するように構成されて配置されている。前記ＨＲＳＧはそのまま使用されるか、または圧縮空気に熱を加えることができるように改良される。前記ＨＲＳＧには蒸気タービンが関連付けられている。蒸気タービンはそのまま使用されるか、または加熱された圧縮空気を大気圧に膨張させて出力を生成できるように改良される。前記蒸気タービンには発電機が関連付けられている。また、特定の条件下では、前記蒸気タービンで膨張させた空気流の一部を燃焼タービン組立体内に噴射して、前記燃焼タービンの出力増大により追加の出力を生成することもできる。
【０００９】
ＣＡＥＳプラントにおける転換には、追加の外部構成要素が必要となる。まず、圧縮空気を貯蔵する空気貯蔵室が構成されて配置されている。前記空気貯蔵室にはＨＲＳＧが関連付けられており、前記空気貯蔵室から圧縮空気を受容する。前記圧縮空気を空気貯蔵室にオフピーク時に供給するために、少なくとも１つのコンプレッサが構成されて配置されている。前記空気貯蔵室は、貯蔵室からの圧縮空気が対応するパラメータにしたがってＨＲＳＧにより受容できるように構成されている。
【００１０】
本発明の他の目的、特徴、および特性、ならびに構造体の関連要素の動作方法および機能、製造部品と製造の経済的要因の組み合わせは、添付の図面を参照しながら、本明細書の一部を形成する以下の詳細説明および添付の特許請求の範囲を検討すればより明らかになるであろう。
【図面の簡単な説明】
【００１１】
図面の簡単な説明
本発明は、添付の図面と共に、以下に示す本発明の好ましい実施形態の詳細な説明からよりよく理解されるであろう。尚、添付の図面において、同一の参照番号は同一の部品を表す。
【図１】図１は、本発明の一実施形態によるＣＡＥＳ発電プラントへのＣＣ発電プラント（複数のＨＲＳＧが１つのボトミングサイクル蒸気タービンに蒸気を供給する、２つの燃焼タービンをベースにした典型的なコンバインドサイクル構成）の転換の概略図である。
【発明を実施するための形態】
【００１２】
実施例の詳細な説明
本実施形態では、ＣＣ発電プラントをＣＡＥＳ発電プラントに転換する。（ＣＡＥＳプラントに転換する）ＣＣ発電プラントへの追加が必要となる、ＣＡＥＳプラントに典型的な追加の構成要素は、外部コンプレッサおよび空気貯蔵室のみであり、これにより外部コンプレッサは、オフピーク時のエネルギーを利用してこのエネルギーを空気貯蔵室に貯蔵する圧縮空気エネルギーに転換する。
【００１３】
ＣＡＥＳプラントに転換したＣＣプラントでは、貯蔵室から抽出した貯蔵されている圧縮空気が、既存のまたは適切に改良されたＨＲＳＧ内で予熱され、既存のまたは適切に改良された蒸気タービン内で膨張される。この負荷管理用ＣＡＥＳプラントへの発電用ＣＣ発電プラントの転換により、燃焼タービンとボトミングサイクル構成要素とを適応させることで、大幅なコスト削減がもたらされる。
【００１４】
このように、一実施形態によれば、かつ図１を参照すると、ＣＣ発電プラントは、総括して１０にて示すＣＡＥＳ発電プラントに転換される。前記プラント１０は、総括して１１にて示す少なくとも１つの従来型燃焼（例えばガス）タービン（ＧＴ）を含み、前記タービンは、吸気口１３で周囲温度の吸気源を受容し、かつ予熱のために圧縮空気を主燃料燃焼器１４に供給する主コンプレッサ１２と、前記主コンプレッサ１２と作動的に関連付けられた主膨張タービン１４であって、燃焼器１４が供給を行う主膨張タービン１６と、発電を行う発電機１７とを有する。
【００１５】
それぞれの熱回収蒸気発生器（ＨＲＳＧ）１８は、それぞれのＧＴと関連付けられている。より具体的には、それぞれのＨＲＳＧ１８は、関連付けられたタービン１４から排気熱を受容する。ＨＲＳＧ１８は熱交換器であるため、そのまま使用することもできれば、または貯蔵された圧縮空気を予熱するように改良することもできる。本実施形態によれば、前記ＨＲＳＧ１８に伝熱構成要素を追加することによって圧縮空気の予熱を行えるようにＨＲＳＧ１８の小規模な改良を行うことが可能であると考えられる。あるいは、最も良好かつ効率的な熱回収を行えるように最適化されたレキュペレータを形成するようにＨＲＳＧ１８を転換することによって、ＨＲＳＧ１８の大幅な改良／最適化を行うことも可能である。ＨＲＳＧの改良方法は、経済性とＣＡＥＳプラントの動作条件により決定される。
【００１６】
前記プラント１０はまた、それぞれのＨＲＳＧ１８から加熱された圧縮空気を受容する蒸気タービン２０も含む。タービン２０には発電を行う発電機２２が関連付けられている。蒸気タービン２０はそのまま使用されるか、または適切に最適化された吸気口の圧縮空気の質量流量と温度のパラメータ、ならびに大気圧への排気を基に、蒸気タービン流路の大幅な改良を行うことなく蒸気タービンを空気エキスパンダに転換することによって改良される。この種の転換は典型的かつ実用的なものであり、空気／ガスエキスパンダに転換された従来型蒸気タービンはいくつか存在する。
【００１７】
このように、本実施形態によれば、ＣＣ発電プラントをＣＡＥＳ発電プラントに転換する方法では、圧縮空気を貯蔵するように構成されて配置された空気貯蔵室２４が設けられている。また、前記空気貯蔵室２４に配管２９を介して圧縮空気を供給するために、モータ２８により駆動される少なくとも１つのコンプレッサ２６が設けられている。前記空気貯蔵室２４の排気口３０は、それぞれのＨＲＳＧ１８が圧縮空気を受容できるように、配管３２によってそれぞれのＨＲＳＧ１８と接続されている。それぞれのＨＲＳＧ１８は、そのまま使用されるか、または上述の通り前記空気貯蔵室から受容した圧縮空気に熱を加えられるように改良される。蒸気タービン２０は、そのまま使用されるか、または、上述のように、それぞれのＨＲＳＧ１８から加熱された圧縮空気を受容し、前記加熱された圧縮空気を膨張させて出力を生成できるように改良される。
【００１８】
前記蒸気タービン２０から抽出された空気流は、燃焼タービンの限界や最適化により決定される噴射流パラメータにしたがって、好ましくは燃焼器１６の上流側にある燃焼タービン組立体１１内に噴射される。図１に示す通り、構造体３４は、燃焼タービン組立体内への空気噴射を容易にする。本実施形態において、前記構造体３４は配管構造体であるのが好ましい。噴射は、特定の条件下では制限または制約を受ける可能性がある。例えば、燃焼タービンの製造業者が公表するデータによれば、周囲温度が低い中での噴射は許可されないか不可能な場合もあれば、または、噴射地点へのアクセス性によって噴射が許可されないか不可能な場合もあり、または、運転上の判断により噴射が行われない場合もある。燃焼器１４の上流側にある燃焼タービン組立体１１内に噴射された抽出空気流は、最大約２０〜２５％の燃焼タービンの出力増大をもたらす。前記蒸気タービン２０内に残留する空気流は、低圧段を介して大気圧に膨張される。したがって、噴射が可能または所望の場合は、前記蒸気タービン２０からのすべての空気流が、大気圧に排出されるわけではない。
【００１９】
別法として、前記蒸気タービン２０は予熱した圧縮空気の圧力を低下させるため、圧縮空気の温度も低下させる。したがって、蒸気タービン２０からの冷気（周囲温度より低温）を、構造体３４’を介して主コンプレッサの吸気口１３で周囲空気と連通させることによって、周囲吸気とより低温のエキスパンダの排気とを混合し、主コンプレッサ１２が受容する前に吸気の全体温度を低下させることができる。主コンプレッサ１２が受容する前に吸気の全体温度を低下させることにより、最大約２０〜２５％の燃焼タービン出力の増大がもたらされる。本実施形態において、構造体３４’は、蒸気タービン２０の排気段と主コンプレッサ１２の吸気口１３との間を接続する配管であり、配管３４の代替となる。
【００２０】
図１のＣＡＥＳ発電プラント１０に転換されたコンバインドサイクルでは、好ましくはピーク時に、貯蔵された圧縮空気が空気貯蔵室２４から抽出され、それぞれの既存のまたは改良されたＨＲＳＧに送られ、そのＨＲＳＧ内で予熱される。次いで、加熱された圧縮空気は、前記既存のまたは改良された蒸気タービン２０内で膨張され、出力を生成する。出力は発電機２２により電力に変換することができる。前記蒸気タービンから抽出された空気流は、燃焼器１４の上流側にある燃焼タービン組立体１１内に噴射して、最大約２０〜２５％の燃焼タービンの出力増大をもたらすことができる。あるいは、蒸気タービン２０からの冷気（周囲温度より低温）を、構造体３４’を介して主コンプレッサの吸気口１３で周囲空気と連通することによって、主コンプレッサ１２で受容される前に吸気口空気全体の温度を低下させることにより、最大約２０〜２５％の燃焼タービン出力の増大がもたらされる。
【００２１】
このＣＡＥＳプラント１０へのコンバインドサイクルプラントの転換により、ＣＡＥＳプラント１０内の燃焼タービンとボトミングサイクル構成要素とを適応させることで、大幅なコスト削減がもたらされる。
【００２２】
このＣＡＥＳプラント１０へのコンバインドサイクル発電プラントの転換を最適化できる機会はかなりある。例えば、従来型コンバインドサイクルプラントのボトミングサイクル出力は、ＧＴ出力の約５０〜６０％である。最適化されたＣＡＥＳプラントにて、ボトミングサイクル出力は、ＧＴ出力の約１５０〜２００％である。したがって、最適化されたＣＡＥＳプラント１０では、改良した蒸気タービン２０に加えて、図１に点線で示すように、追加のボトムサイクルエキスパンダ３６が必要となる場合がある。また、前記エキスパンダ３６は、ＨＲＳＧ１８から加熱された圧縮空気も受容する。前記エキスパンダ３６には、発電を行う発電機３８が関連付けられていてもよい。最適化されたＣＡＥＳプラント１０では、ＨＲＳＧをレキュペレータに改良するために、追加の熱回収熱交換器の表面および／または追加の並流式熱交換器（図示せず）が必要となる場合がある。
【００２３】
上記の好敵な実施形態は、本発明の構造的原理と機能的原理を図示すると共に、好敵な実施形態の使用方法を図示する目的で示し、説明したものであり、当該原理から逸脱することなく変更されることがある。したがって、本発明は、以下の特許請求の範囲に包含されるすべての変形例を含む。
【図１】
2012516963.tif 000003
【手続補正書】
【提出日】平成23年12月29日(2011.12.29)
【手続補正１】
【補正対象書類名】明細書
【補正対象項目名】００１４
【補正方法】変更
【補正の内容】
【００１４】
このように、一実施形態によれば、かつ図１を参照すると、ＣＣ発電プラントは、総括して１０にて示すＣＡＥＳ発電プラントに転換される。前記プラント１０は、総括して１１にて示す少なくとも１つの従来型燃焼（例えばガス）タービン（ＧＴ）を含み、前記タービンは、吸気口１３で周囲温度の吸気源を受容し、かつ予熱のために圧縮空気を主燃料燃焼器１４に供給する主コンプレッサ１２と、前記主コンプレッサ１２と作動的に関連付けられた主膨張タービン１６であって、燃焼器１４が供給を行う主膨張タービン１６と、発電を行う発電機１７とを有する。
【手続補正２】
【補正対象書類名】明細書
【補正対象項目名】００１５
【補正方法】変更
【補正の内容】
【００１５】
それぞれの熱回収蒸気発生器（ＨＲＳＧ）１８は、それぞれのＧＴと関連付けられている。より具体的には、それぞれのＨＲＳＧ１８は、関連付けられたタービン１６から排気熱を受容する。ＨＲＳＧ１８は熱交換器であるため、そのまま使用することもできれば、または貯蔵された圧縮空気を予熱するように改良することもできる。本実施形態によれば、前記ＨＲＳＧ１８に伝熱構成要素を追加することによって圧縮空気の予熱を行えるようにＨＲＳＧ１８の小規模な改良を行うことが可能であると考えられる。あるいは、最も良好かつ効率的な熱回収を行えるように最適化されたレキュペレータを形成するようにＨＲＳＧ１８を転換することによって、ＨＲＳＧ１８の大幅な改良／最適化を行うことも可能である。ＨＲＳＧの改良方法は、経済性とＣＡＥＳプラントの動作条件により決定される。
【手続補正３】
【補正対象書類名】明細書
【補正対象項目名】００１８
【補正方法】変更
【補正の内容】
【００１８】
前記蒸気タービン２０から抽出された空気流は、燃焼タービンの限界や最適化により決定される噴射流パラメータにしたがって、好ましくは燃焼器１４の上流側にある燃焼タービン組立体１１内に噴射される。図１に示す通り、構造体３４は、燃焼タービン組立体内への空気噴射を容易にする。本実施形態において、前記構造体３４は配管構造体であるのが好ましい。噴射は、特定の条件下では制限または制約を受ける可能性がある。例えば、燃焼タービンの製造業者が公表するデータによれば、周囲温度が低い中での噴射は許可されないか不可能な場合もあれば、または、噴射地点へのアクセス性によって噴射が許可されないか不可能な場合もあり、または、運転上の判断により噴射が行われない場合もある。燃焼器１４の上流側にある燃焼タービン組立体１１内に噴射された抽出空気流は、最大約２０〜２５％の燃焼タービンの出力増大をもたらす。前記蒸気タービン２０内に残留する空気流は、低圧段を介して大気圧に膨張される。したがって、噴射が可能または所望の場合は、前記蒸気タービン２０からのすべての空気流が、大気圧に排出されるわけではない。
【国際調査報告】
2012516963.tif 000004